(57)【要約】【課題】組立部品の寸法バラツキ、開閉動作の繰り返しに伴う部品間の摺動，磨耗に起因する可動接触子の位置ずれへの影響を最小限に抑えて安定した開閉動作，および接点間の接触性が確保できるように改良した可動接触子の支持構造を提供する。【解決手段】可動接触子５を回動式の接触子ホルダー６に搭載して固定接触子に対向配置した回路遮断器であり、前記可動接触子５はダブルトーションバネの接圧スプリング１２とともに連結ピン１１を介して接触子ホルダー６に形成した接触子保持溝６ｂ内に軸支保持した可動接触子の組立構造において、可動接触子５の基部を左右から挟んで接圧スプリング１２との間に鞍型のスペーサ１３を挟装して部品の寸法バラツキを吸収するとともに、可動接触子５と接圧スプリング１２のコイル部１２ａとの直接的な摺動による磨耗の発生を防止して接点間の接触性，開閉動作の安定化を図る。【選択図】図１
2012079571.tif 000002
【特許請求の範囲】
【請求項１】
固定接触子，可動接触子，該可動接触子を搭載した回動式の接触子ホルダー，および消弧室からなる電流遮断部と、前記接触子ホルダーに連係した開閉機構部と、過電流引き外し装置を本体ケースに内装した回路遮断器であって、
前記可動接触子はその接触子片基部が連結ピンを介して接触子ホルダーに形成した接触子保持溝内に軸支保持され、かつ接触子ホルダーの接触子保持溝内には前記連結ピンにコイル部を通し、該コイル部に連なる足部で可動接触子を固定接触子に向けてばね付勢するダブルトーションバネ構造の接圧スプリングを付設したものにおいて、
前記可動接触子を左右から挟んで接圧スプリングのコイル部との間に鞍型のスペーサを挟装したことを特徴とする回路遮断器。
【請求項２】
請求項１に記載の回路遮断器において、スペーサは板金加工品になり、その一端を可動接触子に支持した上で、可動接触子の基部に跨がる左右側壁には連結ピンに掛ける軸支係合溝を形成したことを特徴とする回路遮断器。
【請求項３】
請求項２に記載の回路遮断器において、スペーサの端部に支持脚を形成し、該支持脚を可動接触子の上面に添わせて接圧スプリングの足部との間に挟持したことを特徴とする回路遮断器。
【請求項４】
請求項２に記載の回路遮断器において、スペーサの端部に、可動接触子の中間部，および接圧スプリングの足部を囲繞して接触子ホルダーの接触子保持溝の内壁面と摺動可能に対峙するガイドフレームを形成したことを特徴とする回路遮断器。
【発明の詳細な説明】
【技術分野】
【０００１】
本発明は、低圧配電路に適用する配線用遮断器，漏電遮断器などを対象とする回路遮断器に関し、詳しくはその可動接触子の支持構造に係わる。
【背景技術】
【０００２】
まず、頭記の配線用遮断器を例に、本発明の実施対象となる回路遮断器の全体構造を図７に示す（例えば、特許文献１，特許文献２参照）。
図７において、１は回路遮断器の本体ケース(モールド樹脂ケース)、２は電源側端子、３は負荷側端子、４は電源側端子２に連なる固定接触子、４ａは固定接点、５は可動接触子、５ａは可動接点、６は可動接触子５を搭載した回動式の接触子ホルダー、７は可動接触子５の開極移動経路に沿って配置したグリッド式の消弧室、８はトグルリンク機構に開閉スプリングを組合せて前記接触子ホルダー６に連係した開閉機構、９は開閉操作ハンドル、１０は過電流引外し装置であり、前記固定接触子４，可動接触子５，接触子ホルダー６，消弧室７で回路遮断器の電流遮断部を構成している。
【０００３】
次に、図７の回路遮断器（３極形）に内装した可動接触子５，接触子ホルダー６の従来における組立構造を図８，図９に示す。すなわち、Ｕ，Ｖ，Ｗ相の各相に対応する３極の接触子ホルダー（モールド樹脂製）６は軸部６ａを介して相互連結した上で、本体ケース１の内部に軸支してクロスバーを構成している（図８参照）。ここで、各極の接触子ホルダー６には接触子保持溝６ｂが形成されており、この接触子保持溝６ｂの溝内中央には連結ピン１１，および接圧スプリング１２を介して可動接触子５が回転可能に軸支されている。
【０００４】
すなわち、前記連結ピン１１は、可動接触子５の基部に穿孔した軸穴を挿通してその両端を接触子ホルダー６に固定している（図９（ｂ）参照）。また、図９（ａ）で示すように、接圧スプリング１２は左右のコイル部１２ａと、左右のコイル部１２ａの中間に連なる足部１２ｂと、コイル部両端のフック部１２ｃからなるダブルトーションバネ構造になり、前記コイル部１２ａは可動接触子５を左右から挟んで連結ピン１１を通した上で、足部１２ｂの先端を可動接触子５の肩部に係合し、両端のフック部１２ｃを接触子ホルダー６に係止して可動接触子５を固定接触子４に向けて付勢している。
【０００５】
なお、前記回路遮断器の開閉動作は特許文献１，２にも詳しく述べられており、ここではその説明を省略するが、可動接触子５の閉極位置では接圧スプリング１２が可動接点５ａを固定接触子４の固定接点４ａに押圧して接点間に接触圧を加えている。一方、開極動作時には開閉機構８のトリップ動作を受けて、各極の接触子ホルダー６が軸部６ａ（図８参照）の周りで時計方向に回動し、該接触子ホルダー６に搭載した可動接触子５を開極位置に向けて開離駆動する。
【先行技術文献】
【特許文献】
【０００６】
【特許文献１】特開２００６−１９１１３号公報（図１、[００１８]−[００２０]）
【特許文献２】特開２０００−３２３００３号公報（図１、図２）
【発明の概要】
【発明が解決しようとする課題】
【０００７】
ところで、接触子ホルダー６に搭載した可動接触子５について、前記した従来の組立構造のままでは、接触子ホルダー６の接触子保持溝内で連結ピン１１に軸支した可動接触子５の位置が接圧スプリング１２との間に遊び間隙で左右方向にずれたり、また開閉動作の繰り返しによって連結ピン（鋼材）１１，接圧スプリング（バネ鋼線材）１２のコイル部の端面に摺動する可動接触子（銅材）５が磨耗し、そのために図１０で示すように可動接触子５は本来の取付位置から左右に横振れたり、長手方向に沿った向きが傾いたりするようになる。
【０００８】
このような状態になると、固定接点４ａに対して可動接点５ａの接触位置がずれて接触性が損なわれるほか、可動接触子５の先端が消弧室７のグリッド板に干渉して開閉動作に支障を来すようになる。
【０００９】
しかも、プレス加工品の可動接触子５，樹脂成形品の接触子ホルダー６，ダブルトーションバネの各部品には寸法のバラツキがあり、特にダブルトーションバネのコイル部１２ａは自由長さ寸法のバラツキが大きい。そのために、図８の組立状態で接触子ホルダー６の接触子保持溝６ｂに搭載した可動接触子５の位置が一義的に定まらず、左右に横振れし易くなる。加えて、繰り返し開閉動作に伴う部品間の摺動により磨耗が進行すると、可動接触子５の姿勢にも傾きが生じて回路遮断器の安定した開閉動作を確保することが困難となる。
【００１０】
本発明は上記の点に鑑みなされたものであり、その目的は前記課題を解決して部品寸法のバラツキ、開閉動作の繰り返しに伴う部品間の摺動，磨耗に起因する可動接触子の位置ずれへの影響を最小限に抑えて安定した開閉動作，および接点間の接触性が確保できるように改良した回路遮断器の可動接触子支持構造を提供することにある。
【課題を解決するための手段】
【００１１】
上記目的を達成するために、本発明によれば、固定接触子，可動接触子，該可動接触子を搭載した回動式の接触子ホルダー，および消弧室からなる電流遮断部と、前記接触子ホルダーに連係した開閉機構部と、過電流引き外し装置を本体ケースに内装した構成になる回路遮断器であって、前記可動接触子はその接触子片の基部が連結ピンを介して接触子ホルダーに形成した接触子保持溝内に軸支保持され、かつ接触子ホルダーの接触子保持溝内には前記連結ピンにコイル部を通し、該コイル部に連なる足部で可動接触子を固定接触子に向けてばね付勢するダブルトーションバネ構造の接圧スプリングを付設したものにおいて、
前記可動接触子を左右から挟んで接圧スプリングのコイル部との間に鞍型のスペーサを挟装するものとし（請求項１）、該スペーサは次記のような構造で可動接触子に組み付けることができる。
（１）前記スペーサは板金加工品になり、その一端を可動接触子に支持した上で、可動接触子の基部に跨がる左右側壁に軸支係合溝を形成して連結ピンに掛けるようにする（請求項２）。
（２）前項（１）において、スペーサの端部に支持脚を形成し、該支持脚を可動接触子の上面に添わせて接圧スプリングの足部との間に挟持する（請求項３）。
（３）前項（１）において、スペーサの端部に、可動接触子の中間部，および接圧スプリングの足部を囲繞して接触子ホルダーの接触子保持溝の内壁面と摺動可能に対峙するガイドフレームを形成する（請求項４）。
【発明の効果】
【００１２】
上記構成によれば、スペーサの挟装により可動接触子と接圧スプリングのコイル部との間の遊び発生を抑えて部品寸法のバラツキを吸収するとともに、このスペーサの左右側壁が隔壁の役目を果たして開閉動作に伴う可動接触子と接圧スプリングとの直接的な摺動を回避して可動接触子の磨耗を防ぐことができ、これにより可動接触子の横ずれ，姿勢の傾きを抑えて安定した開閉動作を確保することができる。
【００１３】
また、スペーサの端部に支持脚を形成し、該支持脚を可動接触子の上面に添わせて接圧スプリングの足部との間に挟持した請求項３の構成によれば、簡単な組立作業でスペーサを可動接触子に装着することができる。
【００１４】
さらに、スペーサの端部に可動接触子の中間部，および接圧スプリングの足部を囲繞して接触子ホルダーの接触子保持溝の内壁面と摺動可能に対峙するガイドフレームを形成した請求項４の構成を採用することにより、接触子ホルダーに搭載した可動接触子の位置決め保持機能が向上し、開閉動作に伴う可動接触子の横振れ，傾きの発生を効果的に防ぐことができる。
【図面の簡単な説明】
【００１５】
【図１】本発明の実施例１による可動接触子の支持構造を表す図であって、（ａ）は可動接触子に連結ピン，接圧スプリング，スペーサを組み付けた状態の斜視図、（ｂ）は（ａ）図の組立体を接触子ホルダーに搭載した状態の横断面図である。
【図２】図１（ａ）の分解斜視図である。
【図３】３極形回路遮断器に適用した実施例１の可動接触子組立体の斜視図である。
【図４】本発明の実施例２による可動接触子の支持構造を表す図であって、（ａ）は可動接触子に連結ピン，接圧スプリング，スペーサを組み付けた状態の斜視図、（ｂ）は（ａ）図の組立体を接触子ホルダーに搭載した状態の横断面図である。
【図５】図４（ａ）の分解斜視図である。
【図６】図３に対応する実施例２の可動接触子組立体の外観斜視図である。
【図７】本発明の実施対象である配線用遮断器全体の構成断面図である。
【図８】図７の配線用遮断器に搭載した従来の可動接触子組立体を示す外観斜視図である。
【図９】図８における可動接触子の支持構造を表す図であって、（ａ）は可動接触子に連結ピン，接圧スプリングを組み付けた状態の斜視図、（ｂ）は（ａ）図の組立体を接触子ホルダーに搭載した状態の横断面図である。
【図１０】図８の従来構造で使用中に生じた可動接触子の位置ずれ状態を表す電流遮断部の平面図である。
【発明を実施するための形態】
【００１６】
以下、本発明の実施の形態を図１〜図６に示す実施例に基づいて説明する。なお、実施例の図中で図８，図９に対応する部材には同じ符号を付してその説明は省略する。
【実施例１】
【００１７】
まず、本発明の請求項１〜３に係わる実施例１の可動接触子組立体を図１〜図３に示す。この実施例の組立構造は基本的に図８，図９で述べた従来構造と同様であるが、可動接触子５の基部には鞍形のスペーサ１３が新たに追加装備されている。
【００１８】
このスペーサ１３は鋼板などの板金加工品で、図２で示すように可動接触子５の基部を左右から挟み込む二股形状の側壁１３ａと、可動接触子５の上面に沿って前方に延在する支持脚１３ｂからなり、かつ前記側壁１３ａには連結ピン１１に掛ける軸支係合溝１３ａ−１が形成されている。
【００１９】
そして、このスペーサ１３を可動接触子５に組み付けるには、図示のように可動接触子５の基部を左右から挟み込むようにスペーサ１３の側壁１３ａを重ね合わせた上で、ダブルトーションバネ構造になる接圧スプリング１２のコイル部１２ａとの間に挟装し、ここに連結ピン１１を通して接触子ホルダー６に形成した接触子保持溝６ｂの溝内に組み込む。また、可動接触子５の上面に重ねたスペーサ１３の支持脚１３ｂは、その脚部先端を接圧スプリング１２の足部１２ｂとの間に挟み込んでこの位置に挟持する。
【００２０】
上記した可動接触子５の組立構造によれば、可動接触子５の基部を左右から挟んで接圧スプリング１２のコイル部１２ａとの間に挟装したスペーサ１３の側壁１３ａが部品寸法のバラツキによる可動接触子５と接圧スプリング１２との間の余分な遊びを吸収し、連結ピン１１を介して接触子ホルダー６に搭載した可動接触子５は、左右へのガタつきなしに接触子保持溝６ｂの中央位置に保持される。しかも、開閉動作時には可動接触子５とスペーサ１３とが一体に回動するので、接圧スプリング１２のコイル部の端面と可動接触子５の基部側面とが直接摺動し合うことがなく、したがって開閉動作に伴う可動接触子５の摺動，磨耗の発生、およびこの磨耗に起因する可動接触子５の横振れ，傾き（図１０参照）も防げる。これにより、従来の可動接触子組立構造で問題になっていた部品寸法のバラツキによる可動接触子５の位置ずれへの影響を最小限に抑えて、安定した回路遮断器の開閉動作を確保することができる。
【実施例２】
【００２１】
次に、本発明の請求項４に係わる実施例２の組立構造を図４〜図６に示す。この実施例は、可動接触子５に装着して接圧スプリング１２のコイル部１２ａとの間に挟装した鞍形のスペーサ１３について、先記実施例１におけるスペーサ１３の支持脚１３ｂに代えてスペーサ１３の端部には、可動接触子５の中間部，および接圧スプリング１２の足部１２ｂを囲繞する角筒形のガイドフレーム１３ｃが形成されている。そして、可動接触子５を接触子ホルダー６に搭載した組立状態（図４（ｂ），図６参照）で、ガイドフレーム１３ｃの左右側壁を接触子保持溝６ｂの内壁面と摺動可能に対峙させて可動接触子５を開閉方向に案内支持している。
【００２２】
この構成によれば、スペーサ１３の構造が実施例１に比べて若干複雑になるものの、可動接触子５に対する位置決め保持機能を高めることができ、これにより図１０で述べた従来構造による可動接触子５の横振れ，姿勢の傾きを確実に防止して安定した遮断動作を確保できる。
【符号の説明】
【００２３】
１    回路遮断器の本体ケース
４    固定接触子
５    可動接触子
６    接触子ホルダー
６ｂ  接触子保持溝
７    消弧室
８    開閉機構
１１  連結ピン
１２  接圧スプリング
１２ａ  ダブルトーションバネのコイル部
１２ｂ  ダブルトーションバネの足部
１３    スペーサ
１３ａ  側壁
１３ａ−１  軸支係合溝
１３ｂ  支持脚
１３ｃ  ガイドフレーム
【図１】
2012079571.tif 000003
【図２】
2012079571.tif 000004
【図３】
2012079571.tif 000005
【図４】
2012079571.tif 000006
【図５】
2012079571.tif 000007
【図６】
2012079571.tif 000008
【図７】
2012079571.tif 000009
【図８】
2012079571.tif 000010
【図９】
2012079571.tif 000011
【図１０】
2012079571.tif 000012